(57)【要約】【課題】省エネ性能を向上させた切タイマ機能を有する空気調和機を提供すること。【解決手段】本発明の空気調和機は、自動的に運転を停止する切タイマ機能を有し、切タイマ機能によって運転を停止する時間に達した場合であっても一定時間は運転を継続する空気調和機であって、人体付近の温度を検出する人体付近温度検出手段と、日射量を検知する日射量検出手段とを備え、人体付近温度検出手段による検出値と、日射量検出手段による検出値とに応じて、切タイマ機能によって運転を停止する時間に達した後に一定時間継続させる運転能力を変更することにより、切タイマ機能による運転停止時刻以降も運転を継続させる場合であっても、状況に応じて省エネ性と快適性を向上させることができる。【選択図】図１
2012220031.tif 000002
【特許請求の範囲】
【請求項１】
自動的に運転を停止する切タイマ機能を有し、前記切タイマ機能によって運転を停止する時間に達した場合であっても一定時間は運転を継続する空気調和機であって、人体付近の温度を検出する人体付近温度検出手段と、日射量を検知する日射量検出手段とを備え、前記人体付近温度検出手段による検出値と、前記日射量検出手段による検出値とに応じて、前記切タイマ機能によって運転を停止する時間に達した後に一定時間継続させる運転能力を変更することを特徴とする空気調和機。
【請求項２】
人体付近の温度が所定の温度より高い場合であって、日射量が所定の日射量以上のときは、現在の運転能力よりも小さい第１の運転能力に制限して運転を行うことを特徴とする請求項１に記載の空気調和機。
【請求項３】
人体付近の温度が所定の温度より高い場合であって、日射量が所定の日射量未満のときは、前記第１の運転能力よりも小さい第２の運転能力に制限して運転を行うことを特徴とする請求項２に記載の空気調和機。
【請求項４】
人体付近の温度が所定の温度より低い場合は、切タイマ機能による運転停止時間以降の空調運転を行わないことを特徴とする請求項１から３のいずれか１項に記載の空気調和機。
【発明の詳細な説明】
【技術分野】
【０００１】
本発明は、設定時刻に運転を停止する切タイマ機能を有する空気調和機に関する。
【背景技術】
【０００２】
従来、切タイマ機能によって運転停止時刻を設定した後に、運転停止時刻に達しても一定時間は強制的に空調運転を行う空気調和機が提案されている（例えば、特許文献１参照）。
【先行技術文献】
【特許文献】
【０００３】
【特許文献１】特開昭５５−１０２８５２号公報
【発明の概要】
【発明が解決しようとする課題】
【０００４】
しかしながら、前記従来の構成は、運転停止時刻に達した場合に運転をいきなり停止してしまうと、急に暑苦しくなったりすることを防ぐためのものであるが、省エネ性の観点からは改善の余地があった。
【０００５】
本発明は、前記従来の課題を解決するもので、省エネ性能を向上させた切タイマ機能を有する空気調和機を提供することを目的とする。
【課題を解決するための手段】
【０００６】
前記従来の課題を解決するために本発明は、自動的に運転を停止する切タイマ機能を有し、切タイマ機能によって運転を停止する時間に達した場合であっても一定時間は運転を継続する空気調和機であって、人体付近の温度を検出する人体付近温度検出手段と、日射量を検知する日射量検出手段とを備え、人体付近温度検出手段による検出値と、日射量検出手段による検出値とに応じて、切タイマ機能によって運転を停止する時間に達した後に一定時間継続させる運転能力を変更することにより、切タイマ機能による運転停止時刻以降も運転を継続させる場合であっても、省エネ性を向上させることができる。
【発明の効果】
【０００７】
本発明は、省エネ性能を向上させた切タイマ機能を有する空気調和機を提供することができる。
【図面の簡単な説明】
【０００８】
【図１】本発明の実施の形態１における空気調和機の制御ブロック図
【図２】同実施の形態１における制御フローチャート
【発明を実施するための形態】
【０００９】
第１の発明の空気調和機は、自動的に運転を停止する切タイマ機能を有し、切タイマ機能によって運転を停止する時間に達した場合であっても一定時間は運転を継続する空気調和機であって、人体付近の温度を検出する人体付近温度検出手段と、日射量を検知する日射量検出手段とを備え、人体付近温度検出手段による検出値と、日射量検出手段による検出値とに応じて、切タイマ機能によって運転を停止する時間に達した後に一定時間継続させる運転能力を変更することにより、切タイマ機能による運転停止時刻以降も運転を継続させる場合であっても、状況に応じて省エネ性と快適性を向上させることができる。
【００１０】
第２の発明の空気調和機は、特に第１の発明において、人体付近の温度が所定の温度より高い場合であって、日射量が所定の日射量以上のときは、現在の運転能力よりも小さい第１の運転能力に制限して運転を行うことにより、省エネ性を向上させることができる。
【００１１】
第３の発明の空気調和機は、特に第２の発明において、人体付近の温度が所定の温度より高い場合であって、日射量が所定の日射量未満のときは、第１の運転能力よりも小さい第２の運転能力に制限して運転を行うことにより、さらに省エネ性を向上させることができる。
【００１２】
第４の発明の空気調和機は、特に第１から第３の発明において、人体付近の温度が所定の温度より低い場合は、切タイマ機能による運転停止時間以降の空調運転を行わないことにより、余分な運転を行わず省エネ性を向上させることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の制御ブロック図である。図１に示すように、切りタイマ手段１を有する。この切りタイマ手段１は設定時刻を予め設定し、設定した時刻に空調運転を停止するものである。なお、本実施の形態では切りタイマ手段１にて、空調運転を停止する停止時刻を設定するものであるが、例えば、現在から何時間後かに運転を停止するというように、運転継続時間を指定できる構成であってもよい。
【００１５】
本実施の形態における空気調和機は、切りタイマ手段１で設定した時刻もしくは経過時間によって自動的に運転を停止することができる切タイマ機能を有し、状況に応じて切りタイマ手段１で設定した運転停止時刻以降も運転を継続させるものである。
【００１６】
また、人体付近の温度を検出する人体付近温度検出手段２を備え、例えば、サーモパイル型の赤外線センサなどで構成される。さらに、室内空気の温度を検出する吸込温度検出手段３、部屋の空調温度の設定を行う温度設定手段４、人体付近の日射量を検出する日射量検出手段５を備えており、制御手段６に信号が送られている。
【００１７】
そして、マイクロコンピュータおよびその周辺回路で構成される制御手段６において、各検出した値に応じて空調運転を行う。
【００１８】
図２は、実施の形態１における空気調和機の制御フローチャートである。まず、ステップ１において切りタイマ手段１によって切タイマ時刻を設定する。本実施の形態では空調運転を停止する時刻を設定する構成としている。また、冷房運転による切タイマの制御について説明する。
【００１９】
次に、ステップ２においてステップ１において設定した時刻に達したか否かを判断する。設定した時刻に達した場合はステップ３へ進む。
【００２０】
次に、ステップ３において人体付近の温度が設定温度Ｔ１よりも以上か否かを判断する。このとき設定温度Ｔ１とは、ユーザーが温度設定手段４で設定した設定温度Ｔ０と同じとしてもよいし、設定温度Ｔ０よりも高い値に設定しても良い。
【００２１】
例えば、切タイマ機能が活用される状況には就寝時における活用が想定される。その場合、ユーザーは安静状態となっているため、設定温度Ｔ０よりも高い設定温度Ｔ１であったとしてもあまり暑苦しさは感じない。よって設定温度Ｔ１を設定温度Ｔ０よりも高く設
定することで、より省エネ性能を向上させることができる。
【００２２】
ただし、就寝時以外の切タイマ機能の活用も想定されるため、好ましくは人の活動量を検出する活動量検出手段をさらに備え、活動量検出手段で検出される活動量に応じて設定温度Ｔ１を設定温度Ｔ０よりも高く設定するのか、同じに設定するのか、低く設定するのかを選択的に決定できるように構成すれば、状況に応じて快適性を維持することができる。
【００２３】
ステップ３において人体付近の温度が設定温度Ｔ１未満の場合には、十分に部屋全体に冷房が効いていると判断し、ステップ５へ進み空調運転を停止する。
【００２４】
また、ステップ３において人体付近の温度が設定温度Ｔ１以上の場合には、ステップ４へ進み、日射量検出手段５で検出する日射量が所定の日射量Ｎよりも大きいか、小さいかによって判断する。現在の日射量が、日射量Ｎよりも大きい場合にはステップ６へ進み、小さい場合にはステップ７へ進む。
【００２５】
ステップ６では、現在の最大空調運転能力よりも制限した第１の運転能力を最大値として空調運転を行い、ステップ７では第１の運転能力よりもさらに低い第２の運転能力を最大値として空調運転を行う。例えば、第１の運転能力においては圧縮機の最大周波数を７０Ｈｚに制限し、第２の運転能力においては圧縮機の最大周波数を４０Ｈｚに制限する。
【００２６】
そして、それぞれステップ８へ進み、ステップ８では一定時間（例えば、１０分）経過したか否かを判断し、経過した場合には空調運転を停止する。なお、一定時間は本実施の形態に限定されるものではない。
【００２７】
以上のように、本発明においては、切タイマ機能によって運転が停止した後でも、一定時間は空調運転を省エネ性を考慮しながら継続することができ、寝苦しくなってユーザーが起きたりすることがない。
【産業上の利用可能性】
【００２８】
以上のように本発明は、シングル型の空気調和機に限定されず、例えば、室内機が複数台接続されたマルチ型の空気調和機にも適用することができる。
【符号の説明】
【００２９】
１  切りタイマ手段
２  人体付近温度検出手段
３  吸込温度検出手段
４  温度設定手段
５  日射量検出手段
【図１】
2012220031.tif 000003
【図２】
2012220031.tif 000004